(57)【特許請求の範囲】
【請求項１】
内周面の母線に沿ってカム溝を形成した外筒と、この外筒に回転自在に嵌合し、間隙を介して中心軸線方向に積層された複数の仕切板を設けると共に、中心軸線に沿って鍵孔を貫通させた内筒と、この内筒の母線に沿って延在し、内筒の外周部において半径方向に移動可能に案内されると共に、上記カム溝と係合する外側縁が外方に突出する方向に付勢されたロッキングバーとを有し、上記仕切板の間の各スロットに、夫々全体の形状が略Ｃ字形で一端部を揺動自在に軸支され、鍵孔に挿入された鍵の側端縁と干渉する方向に付勢されると共に、常態では内筒を軸線方向に貫通するバックアップピンに係止され、かつ自由端部外側端縁にロッキングバーの内側縁を受入れる解錠切欠を形成したレバータンブラーを挿設し、これらのタンブラー群の夫々が鍵孔に挿通された合鍵の対応する鍵溝と係合したとき、各レバータンブラーの解錠切欠がロッキングバーの内側縁と整合するようにしたものにおいて、
上記バックアップピンを各仕切板に開口させたバックアップピン挿通孔と摺動可能に嵌合させると共に、バックアップピンの内端にバックアップピン挿通孔より大径の係止部を形成したことを特徴とするレバータンブラー錠。
【請求項２】
上記バックアップピンの先端部に小径部を形成したことを特徴とする請求項１記載のレバータンブラー錠。
【請求項３】
内周面の母線に沿ってカム溝を形成した外筒と、この外筒に回転自在に嵌合し、間隙を介して中心軸線方向に積層された複数の仕切板を設けると共に、中心軸線に沿って鍵孔を貫通させた内筒と、この内筒の母線に沿って延在し、内筒の外周部において半径方向に移動可能に案内されると共に、上記カム溝と係合する外側縁が外方に突出する方向に付勢されたロッキングバーとを有し、上記仕切板の間の各スロットに、夫々全体の形状が略Ｃ字形で一端部を揺動自在に軸支され、鍵孔に挿入された鍵の側端縁と干渉する方向に付勢されると共に、常態では内筒を軸線方向に貫通するバックアップピンに係止され、かつ自由端部外側端縁にロッキングバーの内側縁を受入れる解錠切欠を形成したレバータンブラーを挿設し、これらのタンブラー群の夫々が鍵孔に挿通された合鍵の対応する鍵溝と係合したとき、各レバータンブラーの解錠切欠がロッキングバーの内側縁と整合するようにしたものにおいて、
上記レバータンブラーの一端部を軸支する支軸を各仕切板に開口させた支軸挿通孔と摺動可能に嵌合させると共に、支軸の内端に支軸挿通孔より大径の係止部を形成したことを特徴とするレバータンブラー錠。
【請求項４】
上記支軸の先端部に小径部を形成したことを特徴とする請求項３記載のレバータンブラー錠。
【発明の詳細な説明】
【０００１】
【発明の属する技術分野】
この発明は、レバータンブラー錠に係り、特に、内筒の外端に装着されたキーガイドを破壊しての破錠を有効に防止し得るレバータンブラー錠に関する。
【０００２】
【従来の技術】
レバータンブラー錠は、図１及び図２に示すように、内周面の母線に沿ってカム溝１を形成した外筒２と、この外筒に回転自在に嵌合し、間隙を介して中心軸線方向に積層された複数の仕切居た３、３を設けると共に、中心軸線に沿って鍵孔４を貫通させた内筒５と、この内筒５の母線に沿って延在し、内筒の外周部において半径方向に移動可能に案内されると共に、上記カム溝１と係合する外側縁が外方に突出する方向に付勢されたロッキングバー６とを有している。
【０００３】
また、仕切板の間の各スロット７に、夫々全体の形状が略Ｃ字形で一端部を揺動自在に軸支され、鍵孔に挿入された鍵の側端縁と干渉する方向に付勢されると共に、常態では内筒を軸線方向に貫通するバックアップピン８に係止され、かつ自由端部外側端縁にロッキングバー６の内側縁を受入れる解錠切欠９を形成したレバータンブラー１１が挿設されている。
【０００４】
そして、これらのタンブラー群の夫々が鍵孔に挿通された合鍵の対応する鍵溝と係合したとき、各レバータンブラー１１の解錠切欠９がロッキングバー６の内側縁と整合する（図示せず）ように構成されている。
【０００５】
したがって、合鍵を鍵孔４に挿入して内筒５を外筒２内で相対的に回動させると、カム溝１とロッキングバー６との間に生じる楔作用による、ロッキングバー６の内筒中心軸方向への移動が可能になり、換言すればレバータンブラー錠は解錠状態となって内筒５は解錠方向に回動する。
【０００６】
なお、通常のレバータンブラー錠では、複数の仕切板３、３、キーガイド１２及びテールピース１３を装着したテールプラグ１４（図１参照）を、図３に示す第１リテーナー１５及びこの第１リテーナー１５と面対称となる第２リテーナー（図示せず）を介して一体に結合して内筒５を構成する。
【０００７】
すなわち、リテーナー１５は、円筒の一部をなし、前端に抜け止めのフランジ１６を形成すると共に、その母線に沿って複数固の縦長野矩形の受入れ孔１７、７を形成した板状体で、フランジ１６に一番近いものと遠い受入れ孔１７を除いて、各受入れ孔１７に仕切板の外周部に形成された挿入片１８（図４参照）を挿入し、反対側の図示しない第２リテーナーと共にこれら複数固の仕切板３、３を一体的に結合する。
【０００８】
そして、フランジ１６に一番近い受入れ孔１７には、キーガイド１２の外周面に形成された上記挿入片１８と同様の挿入片（図示せず）を挿入し、同様にして、リテーナー１５の内端（図３で右端）にテールプラグ１４（図１参照）を装着し、このようにして構成された内筒を外筒２と嵌合させることにより、内筒５が分解しないように包持する。
【０００９】
なお、内筒５の内端には、リテーナー１５のフランジ１６と同様の抜け止めの機能を有する蛇の目状のストッパー板１９を装着し、止め輪２１で固定する。
【００１０】
また、各仕切板３には、図４に示すように、夫々支軸２２（図１参照）及びバックアップピン８と摺動可能に嵌合する支軸挿通孔２３及びバックアップピン挿通孔２４が開口している。
【００１１】
そして、これら仕切板３、３を貫通する支軸２２及びバックアップピン８の内端及び外端は、夫々テールプラグ１４及びキーガイド１２に開口した付番しない受入れ孔に挿入された状態で、前記リテーナー１５によって抜け止めを施されている（図１参照）。
【００１２】
また、前記ロッキングバー６は、図１に示すように、前記キーガイド５及びストッパー板１９の間に挟まれた態様で抜け止めを施されている。
【００１３】
なお、図４において符号２５は各仕切板に形成されたロッキングバー６用の案内溝を示す。
【００１４】
【発明が解決しようとする課題】
上記した構成のレバータンブラー錠は、例えば特願２００１−１３７８４１或いは特願２００１−１４３２７２によって提案されたシリンダ筒内に収納された態様で扉に装着される。
【００１５】
このとき、キーガイド１２の先端部は、カップ状のシリンダ筒の底面に形成された開口を通して外部に露出する。
【００１６】
ところで近年、キーガイド１２の鍵孔４に金具を差込み、キーガイドをリテーナーから外すと共に、シリンダ筒の開口からこれを抜き去ることによる破錠がしばしば行われるようになった。
【００１７】
キーガイド１２を内筒から除去すれば、ロッキングバー６を抜出すことも不可能ではなく、ロッキングバー６を抜出せば外筒２に対する内筒５の相対回動を拘束しているものが無くなるので、合鍵無しでも内筒５を回動させることができ、すなわちレバータンブラー錠が破錠される。
【００１８】
この発明の第一の目的は、キーガイドを除去してもロッキングバーを抜くことができないレバータンブラー錠を提供するにある。
【００１９】
また、キーガイド１２を除去すれば、バックアップピン８を抜くことは簡単であり、バックアップピンを抜くと、図２から明らかなように、各レバータンブラー１１は、その付勢力により、ロッキングバー６から離間する方向に移動するから、外筒２に対する内筒５の相対回動を拘束しているロッキングバーの機能が失われ、合鍵無しでも内筒５を回動させることができ、すなわちレバータンブラー錠が破錠される。
【００２０】
この発明の第二の目的は、キーガイドを除去してもバックアップピンを抜くことができないレバータンブラー錠を提供するにある。
【００２１】
更にまた、キーガイド１２を除去すれば、支軸２２を抜くことは容易であり、支軸２２を抜けば、レバータンブラー１１はスロット７内で自由になるので、各レバータンブラー１１をロッキングバー６と干渉しない位置に迄移動させることができ、このようにすると、外筒２に対する内筒５の相対回動を拘束しているロッキングバーの機能が失われ、合鍵無しでも内筒５を回動させることができ、すなわちレバータンブラー錠が破錠される。
【００２２】
この発明の第三の目的は、キーガイドを除去しても支軸を抜くことができないレバータンブラー錠を提供するにある。
【００２３】
【課題を解決するための手段】
上記本願の第一の目的を達成するための発明は、内周面の母線に沿ってカム溝を形成した外筒と、この外筒に回転自在に嵌合し、間隙を介して中心軸線方向に積層された複数の仕切板を設けると共に、中心軸線に沿って鍵孔を貫通させた内筒と、この内筒の母線に沿って延在し、内筒の外周部において半径方向に移動可能に案内されると共に、上記カム溝と係合する外側縁が外方に突出する方向に付勢されたロッキングバーとを有し、上記仕切板の間の各スロットに、夫々全体の形状が略Ｃ字形で一端部を揺動自在に軸支され、鍵孔に挿入された鍵の側端縁と干渉する方向に付勢されると共に、常態では内筒を軸線方向に貫通するバックアップピンに係止され、かつ自由端部外側端縁にロッキングバーの内側縁を受入れる解錠切欠を形成したレバータンブラーを挿設し、これらのタンブラー群の夫々が鍵孔に挿通された合鍵の対応する鍵溝と係合したとき、各レバータンブラーの解錠切欠がロッキングバーの内側縁と整合するようにしたものにおいて、
上記ロッキングバーの外側縁又はカム溝の一方に切欠を形成し、他方にこの切欠と係合する係止部材を突設し、この切欠と係止部材とを係合させることにより、ロッキングバーの長さ方向の移動を拘束するようにしたことを特徴とする。
【００２４】
また、前記この発明の第二の目的を達成するため、請求項１に記載の発明は、内周面の母線に沿ってカム溝を形成した外筒と、この外筒に回転自在に嵌合し、間隙を介して中心軸線方向に積層された複数の仕切板を設けると共に、中心軸線に沿って鍵孔を貫通させた内筒と、この内筒の母線に沿って延在し、内筒の外周部において半径方向に移動可能に案内されると共に、上記カム溝と係合する外側縁が外方に突出する方向に付勢されたロッキングバーとを有し、上記仕切板の間の各スロットに、夫々全体の形状が略Ｃ字形で一端部を揺動自在に軸支され、鍵孔に挿入された鍵の側端縁と干渉する方向に付勢されると共に、常態では内筒を軸線方向に貫通するバックアップピンに係止され、かつ自由端部外側端縁にロッキングバーの内側縁を受入れる解錠切欠を形成したレバータンブラーを挿設し、これらのタンブラー群の夫々が鍵孔に挿通された合鍵の対応する鍵溝と係合したとき、各レバータンブラーの解錠切欠がロッキングバーの内側縁と整合するようにしたものにおいて、
上記バックアップピンを各仕切板に開口させたバックアップピン挿通孔と摺動可能に嵌合させると共に、バックアップピンの内端にバックアップピン挿通孔より大径の係止部を形成したことを特徴とする。
【００２５】
更にまた、この発明の前記第三の目的を達成するため、請求項３に記載の発明は、内周面の母線に沿ってカム溝を形成した外筒と、この外筒に回転自在に嵌合し、間隙を介して中心軸線方向に積層された複数の仕切板を設けると共に、中心軸線に沿って鍵孔を貫通させた内筒と、この内筒の母線に沿って延在し、内筒の外周部において半径方向に移動可能に案内されると共に、上記カム溝と係合する外側縁が外方に突出する方向に付勢されたロッキングバーとを有し、上記仕切板の間の各スロットに、夫々全体の形状が略Ｃ字形で一端部を揺動自在に軸支され、鍵孔に挿入された鍵の側端縁と干渉する方向に付勢されると共に、常態では内筒を軸線方向に貫通するバックアップピンに係止され、かつ自由端部外側端縁にロッキングバーの内側縁を受入れる解錠切欠を形成したレバータンブラーを挿設し、これらのタンブラー群の夫々が鍵孔に挿通された合鍵の対応する鍵溝と係合したとき、各レバータンブラーの解錠切欠がロッキングバーの内側縁と整合するようにしたものにおいて、
上記レバータンブラーの一端部を軸支する支軸を各仕切板に開口させた支軸挿通孔と摺動可能に嵌合させると共に、支軸の内端に支軸挿通孔より大径の係止部を形成したことを特徴とする。
【００２６】
【実施例】
以下、この発明の実施例を図５乃至図７を参照して説明する。
図５において符号６は前記第一の目的を達成する発明におけるロッキングバーを示し、このロッキングバー６の形状、構造は従来のものとほぼ同じであるが、その外側縁の中央部に切欠２６が形成されている点が異なっている。
【００２７】
一方、上記切欠２６に対応して、カム溝１側に係止部材２７が突設され、この係止部材２７は切欠２６と係合している。
【００２８】
図示の実施例では、図５及び図６に示すように、内側にカム溝１を形成し、外筒２に一体に形成された突条２８の中央を横断して例えばフライスによりスリワリ２９が形成され、このスリワリ２９に細長い板状の係止部材２７が圧入されている。
【００２９】
上記のように構成されたレバータンブラー錠は、通常の使用により内筒５が回動するとき、ロッキングバー６は内筒の半径方向に移動するので、切欠２６と係止部材２７とは係合の度合いが変化するだけでレバーシリンダー錠としての機能には何の変化も無い。
【００３０】
一方、不正な破錠の目的で前記したようにキーガイド１２を除去し、露呈されたスロット７から覗くロッキングバー６をその長さ方向に引こうとしても、ロッキングバー６は切欠２６を介して係止部材２７に係止されているから、これを抜くことはできず、したがってロッキングバーを抜くことによる破錠を防止することができる。
【００３１】
なお、図示の実施例ではロッキングバー６の側に切欠を、カム溝１側に係止部材を夫々設けることとしたが、これは、逆に、ロッキングバー側に係止部材を、カム溝側に係止部材と係合する切欠や穴を設けてもよいことは勿論である。
【００３２】
なお、図５は請求項１に記載の一実施例によるレバータンブラー錠をも示している。
【００３３】
すなわち、図５において符号８は請求項１に記載の発明によるレバータンブラー錠のバックアップピンをしめし、従来のものはその全長にわたって等径であるが、図５に示されたバックアップピンの内端には、バックアップピン孔２４よりも大径の係止部３１が一体に形成されている。
【００３４】
なお、この係止部３１の形状は、図示のように円筒形でなくてもよく、例えば太鼓形でもよい。
【００３５】
この係止部３１は、テールプラグ１４に形成された係止部３１よりやや大径の付番しない収納孔に挿入されている。
【００３６】
なお、言うまでもないことであるが、請求項１に記載の発明においては、バックアップピン８は内筒の内端から挿入すべきである。
【００３７】
上記のように構成された請求項１に記載の発明によるレバータンブラー錠においては、不正な破錠の目的で前記したようにキーガイド１２を除去し、露呈されたスロット７から覗くバックアップピン８の先端を工具で摘んで引こうとしても、その内端の係止部３１が一番奥の仕切板３のバックアップピン挿通孔２４に引っ掛かり、これを抜くことができないので、バックアップピン８を抜くことによる破錠を防止することができる。
【００３８】
なお、バックアップピン８の先端部に小径部３２を形成しておくと、バックアップピン８の先端を工具で摘んで強く引くとこの小径部３２で破断するので、以降バックアップピンを抜くための手掛かりが失われる。
【００３９】
図７において符号２２は請求項３に記載の発明によるレバータンブラー錠の支軸を示し、従来のものはその全長にわたって等径であるが、図７に示された支軸２２の内端には、支軸挿通孔２３（図４参照）よりも大径の係止部３１が一体に形成されている。
【００４０】
なお、この係止部３１の形状は、図示のように円筒形でなくてもよく、例えば太鼓形でもよい。
【００４１】
そして、この係止部３１は、テールプラグ１４に形成された係止部３１よりやや大径の付番しない収納孔に挿入されている。
【００４２】
なお、言うまでもないことであるが、請求項３に記載の発明においては、支軸２２は内筒の内端から挿入すべきである。
【００４３】
上記のように構成された請求項３に記載の発明によるレバータンブラー錠においては、不正な破錠の目的で前記したようにキーガイド１２を除去し、露呈されたスロット７から覗く支軸２２の先端を工具で摘んで引こうとしても、その内端の係止部３１が一番奥のレバータンブラー１１の支軸挿通孔に引っ掛かり、これを抜くことができないので、支軸２２を抜くことによる破錠を防止することができる。
【００４４】
なお、支軸２２の先端部に小径部３２を形成しておくと、支軸の先端を工具で摘んで強く引くとこの小径部３２で破断するので、以降支軸を抜くための手掛かりが失われる。
【００４５】
【発明の効果】
以上の説明から明らかなように、請求項１に記載の発明は、バックアップピンを各仕切板に開口させたバックアップピン挿通孔と摺動可能に嵌合させると共に、バックアップピンの内端にバックアップピン挿通孔より大径の係止部を形成したから、キーガイドを内筒から除去し、バックアップピンを抜くことによる破錠を防止することができる。
【００４６】
また、請求項３に記載の発明は、レバータンブラーの一端部を軸支する支軸を各仕切板に開口させた支軸挿通孔と摺動可能に嵌合させると共に、支軸の内端に支軸挿通孔より大径の係止部を形成したから、キーガイドを内筒から除去し、支軸を抜くことにより破錠を防止することができる、という所期の効果を奏する。
【図面の簡単な説明】
【図１】  従来のレバータンブラー錠の一例を示す縦断面図で、図面を明瞭にするためロッキングバーの付勢ばねの図示を省略している。
【図２】  その横断面図。
【図３】  リテーナーの外観斜視図。
【図４】  仕切板の正面図。
【図５】  請求項１に記載の発明の一実施例によるレバータンブラー錠の縦断面図で、図面を明瞭にするためロッキングバーの付勢ばねの図示を省略している。
【図６】  請求項１に記載の発明の一実施例によるレバータンブラー錠の下面図。
【図７】  請求項３に記載の発明の一実施例によるレバータンブラー錠の縦断面図で、図面を明瞭にするためロッキングバーの付勢ばねの図示を省略している。
【符号の説明】
１  カム溝
２  外筒
３  仕切板
４  鍵孔
５  内筒
６  ロッキングバー
７  スロット
８  バックアップピン
９  解錠切欠
１１  レバータンブラー
１２  キーガイド
１４  テールプラグ
２２  支軸
２３  支軸挿通孔
２４  バックアップピン挿通孔
２６  切欠
２７  係止部材
２９  スリワリ
３１  係止部
３２  小径部
【図１】
0004774527.tif 000002
【図２】
0004774527.tif 000003
【図３】
0004774527.tif 000004
【図４】
0004774527.tif 000005
【図５】
0004774527.tif 000006
【図６】
0004774527.tif 000007
【図７】
0004774527.tif 000008